(57)【要約】 【課題】夜間などの周囲が暗い環境下においても、注目度の低下を防ぐことができる表示装置を簡単な構成で実現することを目的とする。【解決手段】表示装置２０は、複数の第１のＬＥＤ発光体が配置された主表示部１２と、主表示部の周辺を囲むように複数の第２のＬＥＤ発光体が配置されたＬＥＤ発光体群１１と、外郭フレーム１３とを備え、第２のＬＥＤ発光体の光軸が外郭フレーム１３の方向になるようにし、外郭フレーム１３の第２のＬＥＤ発光体からの光が当たる面を光軸に対し４５°の角度になるような形状にすることにより上記目的を達成する。【選択図】図１
2006337807.tif 000002
【特許請求の範囲】
【請求項１】
複数の第１のＬＥＤ発光体を備え文字や図形を表示する主表示部と、複数の第２のＬＥＤ発光体を前記主表示部の周囲を囲むように配置したＬＥＤ発光体群と、外郭フレームとを備えた表示装置であって、前記外郭フレームは反射面を有し、前記反射面は前記第２のＬＥＤ発光体からの光を第１のＬＥＤ発光体の光軸方向に反射することを特徴とする表示装置。
【請求項２】
複数の第１のＬＥＤ発光体を備え文字や図形を表示する主表示部と、複数の第２のＬＥＤ発光体を前記主表示部の周囲を囲むように配置したＬＥＤ発光体群と、外郭フレームとを備えた表示装置であって、前記第１の発光体と前記第２の発光体は、同一基板上の異なる面に配置され、前記外郭フレームは反射面を有し、前記反射面は前記第２のＬＥＤ発光体からの光を第１のＬＥＤ発光体の光軸方向に反射することを特徴とする表示装置。
【請求項３】
前記外郭フレームの前記反射面は、凹凸状であることを特徴とする請求項１または２のいずれかに記載の表示装置。
【発明の詳細な説明】
【技術分野】
【０００１】
本発明は、複数のＬＥＤ発光体をマトリックス状に並べ、文字、図形などを表示する表示装置に関する。
【背景技術】
【０００２】
従来から、マトリックス状に複数のＬＥＤ発光体を配置し、個々のＬＥＤ発光体の点滅制御により、文字や図形を表示する表示装置が宣伝広告のために商店街の店先などに設置されている。
【０００３】
また、表示装置の中には、観察者の注目度を上げるため、単に表示部に文字などを表示させるだけでなく、表示部以外のスペースに複数のＬＥＤ発光体を配置し、点滅発光させるものもある。
【０００４】
図４は、このような表示装置の外観図であり、図４に示されるように、表示装置１は、複数のＬＥＤ発光体をマトリックス状に配設し、文字や図形を表示する主表示部２と、主表示部２の表示内容を目立たせるために主表示部２の周囲を囲むように複数のＬＥＤ発光体が配置された副表示部４と、外郭フレーム３とを備えている（例えば、特許文献１）。
【０００５】
また、このような表示装置の内部構成は、図５の要部断面図に示されるように、主表示部２及び副表示部４を構成する複数のＬＥＤ発光体が配置された表示基板７と、個々のＬＥＤ発光体の点滅制御を行なう制御部が搭載された基板９と、透明性の樹脂カバー５とを備え、表示基板７は、保持具１０を介し、金属製の裏板８上に固定されている。
【０００６】
また、近年では単に副表示部に点発光のＬＥＤ発光体を配置するだけでなく、副表示部のＬＥＤ発光体の上部に光を拡散させるための透光性のカバーを配置し、副表示部の発光を大きく見せることにより、更に注目度を向上させるような表示装置も提案されている（例えば、特許文献２）。
【特許文献１】特開２００１−１４７６６３号公報
【特許文献２】特開２００４−２９４６８７号公報
【発明の開示】
【発明が解決しようとする課題】
【０００７】
しかしながら、上記の従来の構成では、表示装置の外観の視認性の点において、昼間など明るい時間帯や周囲が明るい場所に設置されている場合は良いが、夜間における暗い環境下においては、副表示部が、最も外側に視認され、外枠の外郭フレームを含めた本来の表示装置の大きさよりも小さく見えるため、観察者から見た場合、注目度が低下するという課題があるとともに、通行人が誤って接触するという課題もある。
【０００８】
上記課題を解決する手段としては、特許文献２に記載の技術により、副表示部のＬＥＤ発光体を外枠の外郭フレームに近接させ配置するような構成も考えられるが、複雑な構成になり、コストの面で課題がある。
【０００９】
本発明は、上記課題に鑑み、簡単な構成で夜間においても表示装置が小さく見えることがなく、注目度の低下を防ぐことができる表示装置を提供することを目的とする。
【課題を解決するための手段】
【００１０】
上記目的を達成するために、本発明の請求項１記載の発明は、複数の第１のＬＥＤ発光体を備え文字や図形を表示する主表示部と、複数の第２のＬＥＤ発光体を前記主表示部の周囲を囲むように配置したＬＥＤ発光体群と、外郭フレームとを備えた表示装置であって、前記外郭フレームは反射面を有し、前記反射面は前記第２のＬＥＤ発光体からの光を第１のＬＥＤ発光体の光軸方向に反射する表示装置である。
【００１１】
係る構成によれば、表示装置の外枠フレームの反射面が第２のＬＥＤ発光体の光を反射するため、夜間であっても、表示装置の寸法が小さく認識されることがない。
【００１２】
また、請求項２記載の発明は、複数の第１のＬＥＤ発光体を備え文字や図形を表示する主表示部と、複数の第２のＬＥＤ発光体を前記主表示部の周囲を囲むように配置したＬＥＤ発光体群と、外郭フレームとを備えた表示装置であって、前記第１の発光体と前記第２の発光体は、同一基板の異なる面に配置され、前記外郭フレームは反射面を有し、前記反射面は前記第２のＬＥＤ発光体からの光を第１のＬＥＤ発光体の光軸方向に反射する表示装置である。
【００１３】
係る構成によれば、表示装置の外枠フレームの反射面が第２のＬＥＤ発光体の光を反射するため、夜間であっても、表示装置の寸法が小さく認識されることがなくなるとともに、同一基板上に配置できるため、コストも抑えることができる。
【００１４】
また、本発明の請求項３に記載の発明は、請求項１または２のいずれかに記載の発明において、前記外郭フレームの前記反射面は、凹凸状である。
【００１５】
係る構成によれば、反射した光が散乱するため、更に注目度の向上を図ることができる。  
【発明の効果】
【００１６】
以上説明したように、本発明の表示装置は、ＬＥＤ発光体からの光を外郭フレームにより反射させ、あたかも外郭フレームが発光しているように見せることができるため、従来の表示装置の副表示部に比較し、夜間などの暗い環境下においても大きく見せることができる。
【００１７】
また、本発明の表示装置によれば、透光性のカバーを使用せず、簡易な構成で、注目度を向上させることができる。
【発明を実施するための最良の形態】
【００１８】
以下、本発明の実施の形態について図面を参照しながら説明する。
【００１９】
なお、図を説明するにあたり、従来と同一構成には、同一符号を付し、説明を省略する。
【００２０】
（実施の形態１）
図１は、本発明に係る表示装置の第１の実施形態を示す断面図であり、図２は、本発明の表示装置の第１の実施形態による光の反射方向を説明するための要部断面図である。
【００２１】
図１に示されるように、本発明の表示装置２０は、文字や図形を表示するための複数の第１のＬＥＤ発光体が配置された主表示部１２と、主表示部の周辺を囲むように複数の第２のＬＥＤ発光体が配置されたＬＥＤ発光体群１１と、透明性の樹脂カバー１７と、外郭フレーム１３とを備えている。
【００２２】
ここで、ＬＥＤ発光体群１１を構成する第２のＬＥＤ発光体は、光軸が外郭フレーム１３の方向になるように、基板１５に配置され、外郭フレーム１３の第２のＬＥＤ発光体からの光が当たる面は、光軸に対し４５°の角度になるような形状であり、例えば、クロムメッキ処理を施すことにより、反射面１３ａが形成されている。
【００２３】
以上の構成により、図２に示されるように、ＬＥＤ発光体群１１を構成する第２のＬＥＤ発光体からの光Ａは、外郭フレーム１３の反射面１３ａにより反射光Ｂとして、表示方向（第１のＬＥＤ発光体の光軸方向）となる矢印Ｃの方向に反射され、観察者から見た場合、あたかも外郭フレーム１３が発光しているように見え、夜間などの暗い環境下においても表示装置２０の大きさが小さく見えることがないことに加え、通行人が誤って接触することも防ぐことができる。
【００２４】
なお、上記説明では、反射面１３ａをクロムメッキ処理を施すことで説明したが、これに限られるものではなく、反射シートを貼り付けることで形成しても同様の効果を得ることができる。
【００２５】
また、反射面１３ａの表面を凹凸状に形成することにより、反射光Ｂが混ざり合うため、あたかも面発光のように見え、更に注目度を向上させることができる。
【００２６】
また、上記説明では、外郭フレーム１３の角度を４５°とし、説明したが、この角度を変えることにより、反射光の光軸を変えることが容易にできる。
【００２７】
（実施の形態２）
図３は、本発明の表示装置の第２の実施形態を示す要部断面図である。  
【００２８】
図３に示されるように、表示装置３０は、文字や図形を表示するための複数の第１のＬＥＤ発光体が基板２７上に配置された主表示部２１と、第１の発光体が配置された面とは反対となる面に主表示部２１の周辺を囲むように複数の第２のＬＥＤ発光体が配置されたＬＥＤ発光体群２３と、透明性の樹脂カバー２５と、外郭フレーム２２とを備えている。
【００２９】
ここで、ＬＥＤ発光体群２３を構成する第２のＬＥＤ発光体は、光軸が外郭フレーム２２の方向になるように、基板２７上に配置され、外郭フレーム２２の第２のＬＥＤ発光体からの光が当たる面は、光軸に対し４５°の角度になるような形状であり、例えば、クロムメッキ処理を施すことにより、反射面２２ａが形成されている。
【００３０】
以上の構成により、ＬＥＤ発光体群２３を構成する第２のＬＥＤ発光体からの光Ｄは、外郭フレーム２２の反射面２２ａにより反射光Ｅとして表示方向となる矢印Ｃの方向に反射され、第１の実施形態で説明した構成と同様の効果を得ることができるとともに、第２のＬＥＤ発光体が、観察者から見えなくなるため、美観の面においても優れている。
【産業上の利用可能性】
【００３１】
本発明は、複数のＬＥＤ発光体を備え表示を行なう表示装置に有用な技術である。
【図面の簡単な説明】
【００３２】
【図１】本発明の表示装置の第１の実施形態を示す断面図
【図２】本発明の表示装置の第１の実施形態の要部断面図
【図３】本発明の表示装置の第２の実施形態を示す要部断面図
【図４】従来の表示装置の外観図
【図５】従来の表示装置の要部断面図
【符号の説明】
【００３３】
１、２０、３０  表示装置
【図１】
2006337807.tif 000003
【図２】
2006337807.tif 000004
【図３】
2006337807.tif 000005
【図４】
2006337807.tif 000006
【図５】
2006337807.tif 000007